(57)【要約】   【課題】  安価で持ち運び易いペットシートおよびペットシート装着部材を提供すること。  【解決手段】  吸収率の高い複数の分割シート部材２を設けるとともに、分割シート部材２に凹部２ａおよび凸部２ｂを設け、分割シート部材２を凹部２ａおよび凸部２ｂを介して着脱自在にしたので、分割シート部材２に凹部２ａおよび凸部２ｂを介して結合することにより、１枚のペットシート１を構成し、犬等のペットの排泄物によって汚れた部分の分割シート部材２のみを交換することができるようにした。また、分割シート部材２に香料を含有したり、排泄物が付着した部分が化学反応により変質する物質を含有しても良い。【選択図】  図１
2007020469.tif 000002
【特許請求の範囲】
【請求項１】
動物の排泄物を処理するペットシートであって、
吸収率の高い複数の分割シート部材を有するとともに、前記分割シート部材に着脱手段を設け、前記分割シート部材を着脱手段を介して着脱自在にしたことを特徴とするペットシート。
【請求項２】
前記分割シート部材は香料を含有していることを特徴とする請求項１に記載のペットシート。
【請求項３】
前記分割シート部材は、排泄物が付着した部分が化学反応により変質する物質を含有することを特徴とする請求項１または請求項２に記載のペットシート。
【請求項４】
請求項１〜請求項３の何れか１項に記載のペットシートが装着されるペットシート装着部材であって、
板状部材の枠の内周部に前記分割シート部材の着脱手段が着脱自在な着脱手段を備えたことを特徴とするペットシート装着部材。
【請求項５】
請求項１〜請求項３の何れか１項に記載のペットシートが装着されるペットシート装着部材であって、
ヒンジを介して折り畳み自在な一対の板状部材を備え、前記一対の板状部材は、前記板状部材のそれぞれの枠の内周部に前記分割シート部材の着脱手段が着脱自在な着脱手段と、前記板状部材の何れか一方に設けられた把持部材とを備えたことを特徴とするペットシート装着部材。
【請求項６】
前記板状部材は通気孔を有することを特徴とする請求項４または請求項５に記載のペットシート装着部材。
【発明の詳細な説明】
【技術分野】
【０００１】
本発明は、ペットシートおよびペットシート装着部材に関し、例えば、犬、猫等のペットの排泄物を処理するペットシートおよびペットシート装着部材に関する。
【背景技術】
【０００２】
犬、猫等のペットを家庭等で飼う場合に、ペットの糞、尿等の排泄物の処理が大変である。このため、ペットの排泄物を処理するために、ペットシートを床等に敷いて使用している。このペットシートは、通常ペットの大きさに適した大きさの長方形のシート状のものである（例えば、特許文献１参照）。
【特許文献１】特開２００５−６５５１７号公報
【発明の開示】
【発明が解決しようとする課題】
【０００３】
しかしながら、このような従来のペットシートにあっては、１枚の長方形のシート状のものであるため、ペットが排泄を行ったときに一部分しか汚れていなくとも全部を交換しなければならず、経済的に効率が悪いという問題があった。
【０００４】
また、１枚の形状の比較的大きい面積を有するため、持ち運びが不便である。特に、この種のペットシートは複数枚が積層された状態で販売されるため、かさばってしまい、持ち運びが不便である。
【０００５】
本発明は、これらの課題を解決するためになされたもので、安価で持ち運び易いペットシートおよびペットシート装着部材を提供するものである。
【課題を解決するための手段】
【０００６】
また、本発明のペットシートは、動物の排泄物を処理するペットシートであって、吸収率の高い複数の分割シート部材を有するとともに、前記分割シート部材に着脱手段を設け、前記分割シート部材を着脱手段を介して着脱自在にしたものから構成されている。
この構成により、分割シート部材を着脱手段を介して結合することにより、１枚のペットシートを構成し、ペットの排泄物によって汚れた部分の分割シート部材みを交換することができるので、ペットシートを全て交換する必要がなく、ペットシートの購入価格を安価にすることができる。また、小さい面積を有する分割シート部材を積層した状態でペットシートを販売することができるので、ペットシートの購入者がペットシートを持ち運びするときにかさばらずに容易に持ち運びを行うことができる。
【０００７】
また、本発明のペットシートの前記分割シート部材は香料を含有しているものから構成されている。
この構成により、ペットシートから良い香りを出すことができるので、家の中にペットシートを置いた場合でも異臭等でペットシートに気を取られるのを防止することができる。
【０００８】
また、本発明のペットシートの前記分割シート部材は、排泄物が付着した部分が化学反応により変質する物質を含有するものから構成されている。
この構成により、尿が付着した部分を簡単に視認することができるので、その部分の分割シート部材のみを簡単に交換することができる。
【０００９】
また、本発明のペットシート装着部材は、上述したペットシートが装着される装着部材であって、板状部材の枠の内周部に前記分割シート部材の着脱手段が着脱自在な着脱手段を備えたものから構成されている。
この構成により、ペットシートの組み立てを容易に行うことができる。
【００１０】
また、本発明のペットシート装着部材は、上述したペットシートが装着される装着部材であって、ヒンジを介して開閉自在な一対の板状部材を備え、前記一対の板状部材は、前記板状部材のそれぞれの枠の内周部に前記分割シート部材の着脱手段が着脱自在な着脱手段と、前記板状部材の何れか一方に設けられた把持部材とを備えたものから構成されている。
この構成により、ペットシートをペットシート装着部材に装着して簡単に持ち運ぶことができるので、ペットと旅行等に行く場合に排泄物の処理に十分に対応することができる。
また、一対の板状部材を広げて一方の板状部材を鉛直方向に延在させるようにすれば、雄犬が足を上げて尿をするのに対応することができる。
【００１１】
また、本発明のペットシート装着部材の前記板状部材は通気孔を有するものから構成されている。
この構成により、ペットシートと板状部材の通気を確保することができ、ペットシートと板状部材の間に匂いが籠もるのを防止することができる。
【発明の効果】
【００１２】
本発明のペットシートおよびペットシート装着部材によれば、安価で持ち運び易いペットシートおよびペットシート装着部材を提供することができる。
【発明を実施するための最良の形態】
【００１３】
以下、本発明の好適な実施の形態について、図面を用いて説明する。
【００１４】
図１〜図５は、本発明に係るペットシートおよびペットシート装着部材の第１の実施の形態を示す図である。
【００１５】
まず、構成を説明する。図１において、ペットシート１は複数の分割シート部材２に分割されており、この分割シート部材２にはそれぞれ扇形状の凹部２ａと凸部２ｂからなる装着手段が設けられている。
【００１６】
分割シート部材２は、凹部２ａに他の分割シート部材２の凸部２ｂが嵌合するとともに、凸部２ｂに他の分割シート部材２の凹部２ａが嵌合することにより、互いに連結されるようになっており、また、これら凹部２ａと凸部２ｂは取り外し可能になっている。すなわち、分割シート部材２は凹部２ａおよび凸部２ｂを介して着脱自在になっている。
【００１７】
また、分割シート部材２は図２に示すように多数の微細な孔３ａが板厚方向に形成された多孔質な弾性部材からなるクッション材３とクッション材３の背面に設けられた吸水シート材４を備えており、犬等のペットが尿をしたときに、尿はクッション材に吸収された後に吸水シート材４に染み込んで逆戻りするのを防止することできる。
【００１８】
また、犬が実際に乗る部分はクッション材３であるため、介護を要する犬や老犬等が尿をするときに床ずれ等が発生するのを抑制することができる。
また、クッション材３にはフレグランス、ハーブ等の香料が含有されているとともに、化学反応により尿をした部分の色が変化したり、光る物質が含有されている。
【００１９】
また、分割シート部材２は図３（ａ）に示すように積層されて販売されるようになっている。また、図３（ｂ）示すように、販売時には凸部２ｂに嵌合する凹部５ａを有するフレーム部材５が側部に取付けられていても良い。このようにすれば、積層された分割シート部材２が四角形状になって分割シート部材２の凸部２ｂが邪魔になることがない。
【００２０】
また、図４に示すように、分割シート部材２は装着部材７に装着されるようになっており、この装着部材７は板状部材６を有し、板状部材６の枠の内周部には分割シート部材２の凸部２ｂが嵌合する扇形状の凹部６ａおよび凹部２ａに嵌合する扇形状の凸部６ｂが設けられている。また、板状部材６の全面にわたって通気孔６ｃが形成されている。なお、凹部６ａおよび凹部６ｂは着脱手段を構成している。
【００２１】
このような構成を有するペットシート１にあっては、図２に示すように積層された状態の分割シート部材２を購入し、使用時には図２（ｂ）の場合には、分割シート部材２をフレーム部材５から取り外し、それぞれの分割シート部材２の凹部２ａに他の分割シート部材２の凸部２ｂを嵌合するとともに、凸部２ｂに他の分割シート部材２の凹部２ａを嵌合することにより、互いに連結して１枚のペットシート１を構成する。
【００２２】
このペットシート１の各分割シート部材２の凹部２ａおよび凸部２ｂを装着部材７の枠の内周部に設けられた凸部６ｂおよび凹部６ａに嵌合して装着部材７に装着する。
この後、犬が尿等の排泄物をペットシート１にすると（図５参照）、その部分が科学反応により色が変わったり光ったりして変質するため、使用者はその部分を視認して変質した部分の分割シート部材２のみを交換する。
【００２３】
このように本実施の形態では、吸収率の高い複数の分割シート部材２を設けるとともに、分割シート部材２に凹部２ａおよび凸部２ｂを設け、分割シート部材２を凹部２ａおよび凸部２ｂを介して着脱自在にしたので、分割シート部材２同士を凹部２ａおよび凸部２ｂを介して結合することにより、１枚のペットシート１を構成し、犬等のペットの排泄物によって汚れた部分の分割シート部材２のみを交換することができ、ペットシート１を全て交換する必要がなく、購入価格を安価にすることができる。また、小さい面積を有する分割シート部材２を積層した状態でペットシート１を販売することができるので、ペットシート１の購入者がペットシート１を持ち運びするときにかさばらずに容易に持ち運びを行うことができる。
【００２４】
また、分割シート部材２に香料を含有させたので、ペットシート１から良い香りを出すことができ、家の中にペットシート１を置いた場合でも異臭等でペットシート１に気を取られるのを防止することができる。
【００２５】
また、分割シート部材２は、排泄物が付着した部分が化学反応により変質する物質を含有するので、尿等が付着した部分を簡単に視認することができ、その部分の分割シート部材２のみを簡単に交換することができる。
【００２６】
また、ペットシート１が装着される装着部材７を設け、この装着部材７は、板状部材６を有し、板状部材６の枠の内周部に分割シート部材２の凹部２ａおよび凸部２ｂが着脱自在な凹部６ａおよび凸部６ｂが形成されているので、ペットシート１の組み立てを容易に行うことができる。
【００２７】
また、板状部材６に通気孔６ｃを形成したので、ペットシート１と板状部材６の通気を確保することができ、ペットシート１と板状部材６の間に匂いが籠もるのを防止することができる。
【００２８】
なお、本実施の形態では、ペットシート１が装着される装着部材７を用いているが、ペットシート１を単独で使用しても良い。この場合には、図６に示すように、分割シート部材２の凸部２ｂに嵌合する複数の凹部８ａが形成された長尺フレーム８を設け、この長尺フレーム８を分割シート部材２の側部に設置し、凸部２ｂを扇形状の凹部８ａに嵌合させることにより、分割シート部材２を組み立てるようにしても良い。このようにしてもペットシート１の組み立てを容易に行うことができる。この長尺フレーム８は図２に示すような積層された状態の分割シート部材２と共に販売する際に、かさばらないように丸め込んだ状態にするとペットシート１の購入後の持ち運びに便利である。
【００２９】
また、分割シート部材２のそれぞれを異なる色から構成し、分割シート部材２を結合したときに様々な模様をペットシート１に形成して楽しむようにしても良い。
【００３０】
図７〜図９は、本発明に係るペットシートおよびペットシート装着部材の第２の実施の形態を示す図であり、第１の実施の形態と同様の構成には同一番号を付して説明を省略する。
【００３１】
図７、図８において、装着部材１１は一対の板状部材１２、１３を備えており、この板状部材１２、１３はヒンジを介して折り畳み自在になっている。板状部材１２、１３の枠の内周部には分割シート部材２の凹部２ａに嵌合する扇形状の凸部１２ａ、１３ａと、分割シート部材２の凸部２ｂに嵌合する扇形状の凹部１２ｂ、１３ｂが形成されている。また、板状部材１２、１３の全面は通気孔１２ｃ、１３ｃが形成されている。本実施の形態では、凸部１２ａ、１３ａおよび凹部１２ｂ、１３ｂが着脱手段を構成している。
【００３２】
また、板状部材１２、１３の端部には把持部材１４、１５が設けられており、この把持部材１４、１５は板状部材１２、１３が折り畳まれたときに重なり合うようになっている。なお、把持部材１４、１５は板状部材１２、１３の何れか一方にのみ設けられていても良い。
【００３３】
また、板状部材１２、１３の一方の面には図９に示すように犬の絵等が描かれており、外観を見て楽しむことができるようになっている。なお、この絵はキャラクターや写真等、何でも良い。
【００３４】
また、板状部材１２、１３には図示しない係合手段が設けられており、板状部材１２、１３が折り畳まれたときに係合手段が係合して板状部材１２、１３が開かないようになっている。なお、係合手段を用いずともバンドを板状部材１２、１３に巻回するようにしても良い。
【００３５】
このような構成を有する本実施の形態では、分割シート部材２の凹部２ａおよび凸部２ｂを凸部１２ａ、１３ａや凹部１２ｂ、１３ｂに嵌合させることより、ペットシート１を装着部材１１に装着し、ペットと共に旅行するとき等に旅行先に持って行くことができる。
【００３６】
そして、旅行先で犬等のペットの排泄物によって汚れた部分の分割シート部材２のみを交換することができる。また、雄犬が尿をするときには板状部材１２、１３を広げて板状部材１２、１３の一方を鉛直方向に延在させるようにすれば、雄犬が足を上げて尿をするのに対応することができる。
【００３７】
また、子犬にペットシート１で尿をするように指導する場合には、自分の尿の匂いのするところにマーキングをする犬の習性を利用し、複数の分割シート部材２のうちの特定の分割シート部材２に尿を付けておき、この分割シート部材２を装着部材１１に装着することにより、ペットシート１に尿をすることを覚えさせることができる。この場合にも一部の分割シート部材２のみを使用するだけで良いので、経済的に有利である。
【産業上の利用可能性】
【００３８】
以上のように、本発明に係るペットシートおよびペットシート装着部材は、安価で持ち運び易いという効果を有し、犬、猫等のペットの排泄物を処理するペットシートおよびペットシート装着部材等として有用である。
【図面の簡単な説明】
【００３９】
【図１】（ａ）は本発明の第１の実施の形態に係るペットシートの外観図、（ｂ）は一実施の形態のペットシートから分割シート部材を取り外した状態を示す図
【図２】（ａ）は第１の実施の形態に係る分割シート部材の外観図、（ｂ）は同図（ａ）の矢視Ａ−Ａ断面図
【図３】（ａ）は第１の実施の形態に係る分割シート部材を積層した状態を示す図、（ｂ）はフレーム部材が取付けられた分割シートの構成図
【図４】（ａ）は第１の実施の形態の装着部材にペットシートが取付けられた状態を示す図、（ｂ）は装着部材の構成図
【図５】第１の実施の形態に係るペットシートで犬が尿をする状態を示す図
【図６】（ａ）は第１の実施の形態に係るペットシートに取付けられる長尺フレームの構成図、（ｂ）は第１の実施の形態のペットシートに長尺フレームを取付けた状態を示す図
【図７】本発明の第２の実施の形態に係るペットシートが取付けられた装着部材の外観図
【図８】第１の実施の形態に係る装着部材の外観図
【図９】第１の実施の形態に係る折り畳まれた状態の装着部材の外観図
【符号の説明】
【００４０】
１  ペットシート
２  分割シート部材
２ａ  凹部（着脱手段）
２ｂ  凸部（着脱手段）
６  板状部材
６ａ  凹部（着脱手段）
６ｂ  凸部（着脱手段）
７  装着部材
１１  装着部材
１２、１３  板状部材
１２ａ、１３ａ  凸部（着脱手段）
１２ｂ、１３ｂ  凹部（着脱手段）
【図１】
2007020469.tif 000003
【図２】
2007020469.tif 000004
【図３】
2007020469.tif 000005
【図４】
2007020469.tif 000006
【図５】
2007020469.tif 000007
【図６】
2007020469.tif 000008
【図７】
2007020469.tif 000009
【図８】
2007020469.tif 000010
【図９】
2007020469.tif 000011